(57)【要約】【課題】アナログ放送専用のテレビ３に適用される地上デジタルチューナ１であって、デジタル放送の電波の中から選択された一つのチャンネル周波数の電波を出力するデジタル選局部１１と、その出力された電波をデジタルデータに復調するデジタル復調部１２と、デジタルデータを音声信号や映像信号に復号化するデコード部１３と、デジタル選局部１１で選択するチャンネル周波数をテレビ３側で選択された選局番号に応じて指示するデジタル選局指示手段１６とを備えた地上デジタルチューナ１において、既設のテレビをそのまま利用してデジタル放送を視聴する。【解決手段】デコード部１３で復号化された音声信号や映像信号をテレビ３のアナログ選局部で選択されたアナログ放送に対応するチャンネル周波数と同一周波数の電波へ変換してアナログ選局部へ伝送する変調部１４と、変調部１４で変換する周波数をテレビ３側で選択された選局番号に応じて指示する変調指示手段１７とを備えた。【選択図】図１
2007288244.tif 000002
【特許請求の範囲】
【請求項１】
アンテナで受信したアナログ放送の電波の中から選択された一つのアナログ放送に対応したチャンネル周波数の電波を出力するアナログ選局部を有し、該アナログ選局部から出力された電波をアナログ復調部によって音声信号や映像信号へ復調し、音声や映像として出力するテレビに適用される地上デジタルチューナであって、
アンテナで受信したデジタル放送の電波の中から選択された一つのデジタル放送に対応したチャンネル周波数の電波を出力するデジタル選局部と、前記デジタル選局部から出力された電波をデジタルデータに復調するデジタル復調部と、前記デジタル復調部で復調されたデジタルデータを音声信号や映像信号に復号化するデコード部と、前記デジタル選局部で選択するデジタル放送に対応したチャンネル周波数をテレビ側の操作部で選択された選局番号に応じて指示するデジタル選局指示手段とを備えた地上デジタルチューナにおいて、
前記デコード部で復号化された音声信号や映像信号を前記アナログ選局部で選択されたアナログ放送に対応するチャンネル周波数と同一周波数の電波へ変換して前記アナログ選局部へ伝送する変調部と、
前記変調部で変換する周波数をテレビ側の操作部で選択された選局番号に応じて指示する変調指示手段とを備えた、地上デジタルチューナ。
【請求項２】
請求項１に記載の地上デジタルチューナにおいて、
テレビに設けられた信号出力端子へ接続され、該信号出力端子から出力される前記選局番号を示す信号を前記デジタル選局指示手段および前記変調指示手段へ転送する信号入力部を備えた、地上デジタルチューナ。
【請求項３】
請求項１または２に記載の地上デジタルチューナにおいて、
アンテナで受信した電波をデジタル選局部、デジタル復調部、デコード部および変調部を介してテレビ側へ伝送するデジタル変換ルートと、アンテナで受信した電波を直接的にテレビ側へ伝送するアナログ転送ルートとを選択可能な切替部を備えた、地上デジタルチューナ。
【請求項４】
請求項３に記載の地上デジタルチューナにおいて、
前記切替部で選択する伝送ルートをテレビ側の操作部の操作に応じて指示する切替指示手段を備えた、地上デジタルチューナ。
【発明の詳細な説明】
【技術分野】
【０００１】
本発明は、地上デジタルテレビ放送の電波を音声信号および映像信号へ変換する地上デジタルチューナ、特に、テレビとは分離して構成された地上デジタルチューナに関するものである。
【背景技術】
【０００２】
２０１１年より地上アナログテレビ放送（以下、「アナログ放送」という）が終了し、地上デジタルテレビ放送（以下、「デジタル放送」という）へ切り替わるが、既設のアナログ放送専用のテレビでデジタル放送を視聴する場合は、デジタル放送の電波を音声信号および映像信号に変換可能な地上デジタルチューナを導入する必要がある。
図８は、上記従来の地上デジタルチューナを浴室テレビに適用した場合を説明する概略構成図である。
【０００３】
地上デジタルチューナ８は、アンテナＰと浴室テレビ３との間に接続されており、その内部には、アンテナＰで受信したデジタル放送の電波（以下、「デジタル放送波」という）の中より選択した一つのデジタル放送に対応したチャンネル周波数（以下、「デジタルチャンネル周波数」という）の電波を取り出すデジタル選局部８１と、デジタル選局部８１で取り出された電波を音声や映像等のデジタルデータとして復調するデジタル復調部８２と、上記デジタルデータを音声信号や映像信号に復号化するデコード部８３と、デジタル選局部８１で選択するデジタルチャンネル周波数を指示するデジタル選局指示手段８６と、後述する赤外線出力部５から出力される赤外線を受信してデジタル選局指示手段８６へ転送する受光部８９とを備えている。
【０００４】
上記デジタル選局指示手段８６には、放送局に応じて設定された複数のデジタルチャンネル周波数が記憶されており、それらのデジタルチャンネル周波数には、後述する浴室テレビ３の操作パネル３８に設けられた選局キーＫ１に対応する選局番号がそれぞれ各別に割り当てられている。
【０００５】
また、地上デジタルチューナ８と浴室テレビ３との間には、上記デコード部８３から出力される音声信号や映像信号を、浴室テレビ３に内蔵されたアナログ選局部３１の特定のチャンネル周波数（以下、「空きチャンネル周波数」という）と同一周波数の電波へ変換するＲＦコンバータ９が接続されている。
【０００６】
一方、既設従来の浴室テレビ３は、アンテナＰから入力されたアナログ放送の電波（以下、「アナログ放送波」という）の中より選択した一つのアナログ放送に対応したチャンネル周波数（以下、「アナログチャンネル周波数」という）の電波もしくはＲＦコンバータ９から入力された電波を取り出すアナログ選局部３１と、アナログ選局部３１で取り出された電波を音声信号や映像信号として復調するアナログ復調部３２と、アナログ復調部３２で復調された音声信号や映像信号を出力する音声出力部３３および映像出力部３４と、アナログ選局部３１で選択するアナログチャンネル周波数を指示するアナログ選局指示手段３６と、選局キーＫ１を有する操作パネル３８とを備えている。
【０００７】
上記アナログ選局指示手段３６には、放送局に応じて設定された複数のアナログチャンネル周波数が記憶されており、それらのアナログチャンネル周波数には、操作パネル３８の選局キーＫ１で設定される選局番号がそれぞれ各別に割り当てられているが、デジタル放送受信時には、上記選局キーＫ１で設定される全ての選局番号が空きチャンネル周波数に割り当てられる。
選局キーＫ１の操作に応じて操作パネル３８から出力される選局番号を示す信号は、アナログ選局指示手段３６および後述する赤外線出力部５へ伝送される。
【０００８】
地上デジタルチューナ８の受光部８９の近傍には、浴室テレビ３側から転送された選局番号を示す信号を赤外線信号に変換して出力する赤外線出力部５が接続されている。
このものでは、デジタル放送を視聴する場合、まず、上記構成のように、アンテナＰと浴室テレビ３との間に地上デジタルチューナ８およびＲＦコンバータ９を接続する。そして、浴室テレビ３の操作パネル３８の選局キーＫ１で、視聴したいデジタル放送の選局番号を操作パネル３８の選局キーＫ１で選択すると、その選局番号を示す信号がアナログ選局指示手段３６および赤外線出力部５へ入力される。選局番号を示す信号を受けたアナログ選局指示手段３６は、アナログ選局部３１に対して空きチャンネル周波数の電波を出力するように指示する。一方、赤外線出力部５に入力された選局番号を示す信号は、さらに地上デジタルチューナ８の受光部８９へ送信され、デジタル選局指示手段８６へ転送される。
【０００９】
選局番号を示す信号を受けたデジタル選局指示手段８６は、デジタル選局部８１に対してその選局番号を示す信号に対応したデジタルチャンネル周波数の電波を出力するように指示する。その指示を受けたデジタル選局部８１は、指示された選局番号に対応するデジタルチャンネル周波数のデジタル放送波をデジタル復調部８２へ出力する。そして、この出力されたデジタル放送波は、デジタル復調部８２によってデジタルデータへ復調された後、デコード部８３で音声信号や映像信号へ復号化され、地上デジタルチューナ８の外部へ出力される。
【００１０】
さらに、地上デジタルチューナ８から出力された音声信号や映像信号は、ＲＦコンバータ９において空きチャンネル周波数と同一周波数の電波へ変換された後、浴室テレビ３のアナログ選局部３１へ入力されるが、このとき、アナログ選局部３１は、空きチャンネル周波数の電波を出力可能な状態に設定されているから、ＲＦコンバータ９から入力された空きチャンネル周波数と同一周波数の電波は、そのままアナログ復調部３２へ出力されて、アナログ復調部３２で音声信号や映像信号へ復調された後、音声出力部３３および映像出力部３４から音声や映像として出力される。
【特許文献１】特開２００５−２２９４９５号公報
【発明の開示】
【発明が解決しようとする課題】
【００１１】
しかしながら、上記従来例のように、デジタル放送を視聴する際に、選局キーＫ１でどの選局番号を選択しても、浴室テレビ３のアナログ選局部３１の選局動作を常に空きチャンネル周波数に設定させるといった制御プログラムは、従来のアナログ放送専用テレビには備わっていないのが一般的である。このため、従来のアナログ放送専用テレビでデジタル放送を視聴する際には、地上デジタルチューナをアンテナとテレビとの間に接続する作業以外に、テレビ側の選局指示手段へ上述の新たな制御プログラムを組み込む作業も必要であるから、既設のアナログ放送専用テレビをそのまま利用できないという問題があった。
【００１２】
本発明は係る点に鑑みてなされたもので、
『アンテナで受信したアナログ放送の電波の中から選択された一つのアナログ放送に対応したチャンネル周波数の電波を出力するアナログ選局部を有し、該アナログ選局部から出力された電波をアナログ復調部によって音声信号や映像信号へ復調し、音声や映像として出力するテレビに適用される地上デジタルチューナであって、
アンテナで受信したデジタル放送の電波の中から選択された一つのデジタル放送に対応したチャンネル周波数の電波を出力するデジタル選局部と、前記デジタル選局部から出力された電波をデジタルデータに復調するデジタル復調部と、前記デジタル復調部で復調されたデジタルデータを音声信号や映像信号に復号化するデコード部と、前記デジタル選局部で選択するデジタル放送に対応したチャンネル周波数をテレビ側の操作部で選択された選局番号に応じて指示するデジタル選局指示手段とを備えた地上デジタルチューナ』において、アンテナとテレビとの間に設置することで、既設のアナログ放送専用テレビをそのまま利用してデジタル放送を視聴できる地上デジタルチューナを提供することを課題とする。
【課題を解決するための手段】
【００１３】
上記課題を解決するための請求項１に係る発明の技術的手段は、
『前記デコード部で復号化された音声信号や映像信号を前記アナログ選局部で選択されたアナログ放送に対応するチャンネル周波数と同一周波数の電波へ変換して前記アナログ選局部へ伝送する変調部と、
前記変調部で変換する周波数をテレビ側の操作部で選択された選局番号に応じて指示する変調指示手段とを備えた』ことである。
上記技術手段によれば、上記変調部によって、デコード部で復号化されたデジタル放送の音声映像信号が、テレビ側の操作部で選択された選局番号に対応するアナログ放送のチャンネル周波数と同一周波数の電波へ変換されるから、デジタル放送を音声や映像としてテレビへ出力することができる。
【００１４】
具体的には、テレビ側の操作部で、視聴したいデジタル放送の選局番号を選択すると、テレビ内のアナログ選局部は、その選択された選局番号に対応して設定されたアナログ放送のチャンネル周波数の電波を出力可能な状態に設定される。一方、地上デジタルチューナ側では、選択された選局番号に対応したデジタル放送のチャンネル周波数の電波がデジタル復調部、デコード部を介して音声映像信号に変換される。そして、変調部によってその音声映像信号が、テレビ内のアナログ選局部で設定されたアナログ放送のチャンネル周波数と同一周波数の電波へ変換され、テレビ側へ出力される。これにより、変調部で変換されたデジタル放送の電波は、テレビ内のアナログ選局部を介して音声出力部および映像出力部へ送られ、音声や映像として出力される。
【００１５】
このように、上記地上デジタルチューナをアンテナとテレビとの間に接続すれば、テレビ側の操作部で選択した選局番号に対応したデジタル放送をテレビへ出力させることが可能になるから、既述従来のもののように、地上デジタルチューナを導入する際にテレビ側へ新たな制御プログラムを組み込むといった作業が不要となる。
【００１６】
請求項２に係る発明の技術的手段は、
前記請求項１において、
『テレビに設けられた信号出力端子へ接続され、該信号出力端子から出力される前記選局番号を示す信号を前記デジタル選局指示手段および前記変調指示手段へ転送する信号入力部を備えた』ことである。
このものでは、信号入力部によって、テレビに設けられた信号出力端子から出力される選局番号を示す信号がデジタル選局指示手段および変調指示手段へ転送されるから、地上デジタルチューナにおけるデジタル選局部の選局動作および変調部の変換動作は、テレビの信号出力端子から出力される選局番号を示す信号に応答して実行される。従って、選局番号を示す信号を地上デジタルチューナへ送信するための独立した信号出力手段をテレビとは別に設ける必要がない。
【００１７】
請求項３に係る発明の技術的手段は、
前記請求項１または２において、
『アンテナで受信した電波をデジタル選局部、デジタル復調部、デコード部および変調部を介してテレビ側へ伝送するデジタル変換ルートと、アンテナで受信した電波を直接的にテレビ側へ伝送するアナログ転送ルートとを選択可能な切替部を備えた』ことである。
このものでは、上記切替部によって、アンテナで受信した電波をアナログ放送に対応するチャンネル周波数と同一周波数の電波へ変換してテレビ側へ伝送するデジタル変換ルートと、テレビ側へ直接的に伝送するアナログ転送ルートとを切り替えることができるから、デジタル放送を視聴する場合は、切替部でデジタル変換ルートを選択すれば、テレビ側へアナログ放送のチャンネル周波数と同一周波数の電波に変調されたデジタル放送が出力される。一方、アナログ放送を視聴する場合は、切替部でアナログ転送ルートを選択すれば、テレビ側へアナログ放送の電波がそのまま転送される。
従って、アンテナから延びる伝送線とテレビから延びる伝送線とを上記地上デジタルチューナに接続するだけで、テレビ側でアナログ放送もデジタル放送も視聴可能になる。
【００１８】
請求項４に係る発明の技術的手段は、
前記請求項３において、
『前記切替部で選択する伝送ルートをテレビ側の操作部の操作に応じて指示する切替指示手段を備えた』ことである。
デジタル放送波がまだ受信できない環境下に地上デジタルチューナを導入する場合は、デジタル放送波が受信可能になった後、上記切替部をデジタル変換ルートへ切り替える必要があるが、このものでは、切替部による上記伝送ルートの切り替え動作をテレビ側の操作部で指示することが可能であるから、アナログ放送からデジタル放送への切り替えを使用者が手元で容易に行うことができる。
【発明の効果】
【００１９】
本発明は、上記構成であるから次の特有の効果を有する。
地上デジタルチューナを導入する際にテレビ側へ新たな制御プログラムを組み込むといった作業を必要とせず、地上デジタルチューナをアンテナとテレビとの間に接続すれば、テレビ側へデジタル放送を出力させることが可能になるから、既設のアナログ放送専用テレビをそのまま利用してデジタル放送を視聴できる。また、上記テレビを遠隔操作する既設のリモートコントローラもそのまま利用できる。
【００２０】
請求項２に係る発明では、選局番号を示す信号を地上デジタルチューナへ送信するための独立した信号出力手段をテレビとは別に設ける必要がないから、地上デジタルチューナを導入する際の設置作業が容易である。
【００２１】
請求項３に係る発明では、切替部で、デジタル変換ルートを選択すれば上記変調されたデジタル放送が、アナログ転送ルートを選択すればアナログ放送の電波がテレビ側へそのまま転送されるから、煩雑な配線作業を必要とせず、アンテナから延びる伝送線とテレビから延びる伝送線とを上記地上デジタルチューナに接続するだけで、テレビ側でアナログ放送もデジタル放送も視聴可能になる。従って、アナログ放送からデジタル放送への移行期間中において、地上デジタルチューナを導入する際の設置作業が容易である。
【００２２】
また、切替部を切り替えることにより、アナログ放送とデジタル放送とが選択的に視聴可能になるから、未だデジタル放送を視聴できない時期であっても前もって設置しておくことができる。即ち、アナログ放送からデジタル放送への移行期間中において有用な地上デジタルチューナの提供を図ることができる。
【００２３】
請求項４に係る発明では、アナログ放送からデジタル放送への切り替えを使用者が手元で容易に行うことができるから、切替部を地上デジタルチューナの本体側で直接的に切り替えるようにしたものに比べて、利便性が良い。
【発明を実施するための最良の形態】
【００２４】
次に、上記した本発明を実施するための最良の形態について、添付図面を参照しながら詳述する。
図１は、本発明の実施の形態に係る地上デジタルチューナとして例示する浴室テレビ３用の地上デジタルチューナ１を説明する概略構成図であり、図２は、デジタル放送およびアナログ放送に対応したチャンネル周波数と、後述する選局キーＫ１，Ｋ３で選択される選局番号との対応関係を示す表である。以下、各部の詳細を説明する。
【００２５】
図１に示すように、地上デジタルチューナ１は、浴室Ｒ１の天井裏Ｒ２に設置されており、その外装ケース１０に設けられたデジタル入力端子ｔ１には、アンテナＰから延びる伝送線が接続され、アナログ出力端子ｔ２には、浴室テレビ３側へ延びる伝送線が接続されている。
【００２６】
地上デジタルチューナ１の外装ケース１０の内部には、アンテナＰからデジタル入力端子ｔ１へ入力された電波をアナログ放送波とデジタル放送波とに分配する分波部Ｓ１と、分波部Ｓ１で分配されたデジタル放送波の中より選択した一つのデジタルチャンネル周波数の電波を取り出すデジタル選局部１１と、デジタル選局部１１で取り出された電波を音声や映像等のデジタルデータとして復調するデジタル復調部１２と、上記デジタルデータを音声信号や映像信号に復号化するデコード部１３と、デコード部１３で復号化された音声信号や映像信号を後述する浴室テレビ３のアナログ選局部３１で選択されるアナログチャンネル周波数と同一周波数の電波（以下、「アナログ変調波」という）へ変換する変調部１４と、デジタル選局部１１で選択するデジタルチャンネル周波数を指示するデジタル選局指示手段１６と、変調部１４で選択するアナログチャンネル周波数を指示する変調指示手段１７とが収容されている。
【００２７】
さらに、地上デジタルチューナ１は、アンテナＰで受信した電波を、デジタル選局部１１、デジタル復調部１２、デコード部１３および変調部１４を介してアナログ出力端子ｔ２へ伝送するデジタル変換ルートと、分波部Ｓ１から浴室テレビ３のアナログ出力端子ｔ２を介してアナログ選局部３１へ直接的に伝送するアナログ転送ルートとを択一的に切り替え可能な切替部１５と、浴室テレビ３の操作パネル３８の外部入力キーＫ２やリモコン４の外部入力キーＫ４の操作に応じて切替部１５の上記伝送ルートの切り替え動作を指示する切替指示手段１８と、後述する赤外線出力部５から出力される赤外線信号を受信してデジタル選局指示手段１６および変調指示手段１７へ転送する受光部１９とを備えている。
尚、上記「受光部１９」が、既述請求項２の発明特定事項としての「信号入力部」に対応する。
【００２８】
また、デジタル選局指示手段１６には、放送局に応じて設定された複数のデジタルチャンネル周波数が記憶されており、それらのデジタルチャンネル周波数には、浴室テレビ３の操作パネル３８の選局キーＫ１やリモコン４の選局キーＫ３で設定される選局番号がそれぞれ割り当てられている（図２参照）。尚、この選局番号の割り当ては、使用者が任意に変更可能である。
【００２９】
変調指示手段１７には、放送局に応じて設定された複数のアナログチャンネル周波数と同一の周波数（以下、「変調周波数」という）が記憶されており、それらの変調周波数には、浴室テレビ３の操作パネル３８の選局キーＫ１やリモコン４の選局キーＫ３で設定される選局番号がそれぞれ割り当てられている（図２参照）。この選局番号の割り当ては、後述する浴室テレビ３側のアナログ選局指示手段３６における選局番号の割り当てと常に同一になるように設定されている。  
【００３０】
次に、上記地上デジタルチューナ１を接続する既設従来の浴室テレビ３について説明する。
浴室テレビ３は、浴室Ｒ１の壁面に固定状態で取り付けられており、その外装ケース３０に設けられたアナログ入力端子ｔ３に、地上デジタルチューナ１のアナログ出力端子ｔ２から延びる伝送線が接続されている。
【００３１】
また、浴室テレビ３の外装ケース３０に設けられた信号出力端子ｔ４は、後述する赤外線出力部５と電気的に接続されている。
浴室テレビ３の外装ケース３０内には、アナログ入力端子ｔ３へ入力された電波の中より選択した一つのアナログチャンネル周波数の電波を取り出すアナログ選局部３１と、アナログ選局部３１で取り出された電波を音声信号や映像信号として復調するアナログ復調部３２と、アナログ復調部３２で復調された音声信号や映像信号を出力する音声出力部３３および映像出力部３４と、アナログ選局部３１で選択するアナログチャンネル周波数を指示するアナログ選局指示手段３６とが収容されている。
【００３２】
さらに、浴室テレビ３は、選局キーＫ１や外部入力キーＫ２を備えた操作パネル３８と、リモコン４から出力される赤外線を受信してアナログ選局指示手段３６および後述する赤外線出力部５へ転送する受光部３９とを備えている。また、上記選局キーＫ１は、前後を示す２つのキーで構成されており、それらのキーを押すことによって選局番号を順送りに設定することができる。
【００３３】
また、アナログ選局指示手段３６には、放送局に応じて設定された複数のアナログチャンネル周波数が記憶されており、それらアナログチャンネル周波数には、操作パネル３８の選局キーＫ１やリモコン４の選局キーＫ３で設定される選局番号が割り当てられている（図２参照）。尚、この選局番号の割り当ては、使用者の任意で変更可能である。
【００３４】
一方、浴室Ｒ１には、浴室テレビ３用のリモコン４が設置されており、選局キーＫ３や外部入力キーＫ４を備えている。上記選局キーＫ３は、１から１２の選局番号が印された複数のキーで構成されており、それらのキーを押すことによって選局番号をダイレクトに設定することができる。
【００３５】
また、天井裏Ｒ２には、浴室テレビ３の操作パネル３８またはリモコン４から送信された選局番号を示す信号等を赤外線信号に変換し、地上デジタルチューナ１の受光部１９へ向けて出力する赤外線出力部５が設置されている。
尚、上記操作パネル３８の「選局キーＫ１」およびリモコン４の「選局キーＫ３」が、既述請求項１の発明特定事項としての「テレビ側の操作部」に対応する。
【００３６】
［動作について］
次に、上記地上デジタルチューナ１の動作について、図３に示すブロック図に沿って説明する。
まず、デジタル放送を視聴するかアナログ放送を視聴するかを、浴室テレビ３の操作パネル３８の外部入力キーＫ２もしくはリモコン４の外部入力キーＫ４で選択する。
【００３７】
具体的には、操作パネル３８の外部入力キーＫ２もしくはリモコン４の外部入力キーＫ４を押すと、外部入力キーＫ２，Ｋ４が操作されたことを示す信号（以下、「外部入力信号」という）が操作パネル３８もしくは受光部３９から赤外線出力部５、受光部１９を介して地上デジタルチューナ１の切替指示手段１８へ出力される。
【００３８】
地上デジタルチューナ１の切替指示手段１８は、上記外部入力信号を受けると、切替部１５に対してその伝送ルートの切り替えを指示する切替指示信号を出力し、切替部１５の切り替え動作を実行させる。
即ち、切替部１５は、操作パネル３８の外部入力キーＫ２もしくはリモコン４の外部入力キーＫ４が押される毎に、上記アナログ転送ルートおよびデジタル変換ルートへ交互に切り替わる。
【００３９】
従って、デジタル放送を視聴する場合は、浴室テレビ３の操作パネル３８の外部入力キーＫ２もしくはリモコン４の外部入力キーＫ４を押して、切替部１５をデジタル変換ルートへ切り替える。
【００４０】
次に、浴室テレビ３の操作パネル３８の選局キーＫ１もしくはリモコン４の選局キーＫ３で視聴したい放送局（例えば、Ａ放送局）の選局番号（例えば、３番）を選択すると、その選局番号を示す信号が操作パネル３８もしくは受光部３９から浴室テレビ３のアナログ選局指示手段３６へ出力されるとともに、赤外線出力部５および受光部１９を介して地上デジタルチューナ１のデジタル選局指示手段１６および変調指示手段１７へ出力される。
【００４１】
上記選局番号を示す信号を受けた地上デジタルチューナ１のデジタル選局指示手段１６は、そのデジタル選局指示手段１６に記憶された複数のデジタルチャンネル周波数の中から、上記選局番号（例えば、３番）に対応するデジタルチャンネル周波数（例えば、２０ｃｈ（５１５ＭＨｚ））を抽出し、そのデジタルチャンネル周波数を示す選局指示信号をデジタル選局部１１へ出力する。
【００４２】
デジタル選局指示手段１６からの選局指示信号を受けたデジタル選局部１１は、分波部Ｓ１から伝送されるデジタル放送波の中から、その選局指示信号が示すデジタルチャンネル周波数に対応したデジタル放送波を取り出す。そして、デジタル選局部１１で取り出されたデジタル放送波は、デジタル復調部１２でデジタルデータへ復調され、デコード部１３で音声信号や映像信号として復号化され、変調部１４へ音声信号や映像信号として出力する。
【００４３】
また、上記選局番号を示す信号を受けた地上デジタルチューナ１の変調指示手段１７は、その変調指示手段１７に記憶された複数の変調周波数の中から、上記選局番号（例えば、３番）に対応する変調周波数（例えば、３ｃｈ（１０３ＭＨｚ））を抽出し、その変調周波数を示す変調指示信号を変調部１４へ出力する。この変調部１４から出力される変調周波数は、後述するアナログ選局指示手段３６が選局番号を示す信号に応じて選択するアナログチャンネル周波数と一致している。
【００４４】
そして、変調指示手段１７からの変調指示信号を受けた変調部１４は、上記デコード部１３から入力された音声信号や映像信号をその変調指示信号が示す変調周波数に対応したアナログ変調波へ変換し、アナログ出力端子ｔ２へ出力する。
【００４５】
一方、上記選局番号を示す信号を受けた浴室テレビ３のアナログ選局指示手段３６は、そのアナログ選局指示手段３６に記憶された複数のアナログチャンネル周波数の中から、上記選局番号（例えば、３番）に対応するアナログチャンネル周波数（例えば、３ｃｈ（１０３ＭＨｚ））を抽出し、そのアナログチャンネル周波数を示す選局指示信号をアナログ選局部３１へ出力する。このアナログ選局指示手段３６が選局番号を示す信号に応じて選択するアナログチャンネル周波数（例えば、３ｃｈ（１０３ＭＨｚ））は、上記変調部１４から出力される変調周波数（例えば、３ｃｈ（１０３ＭＨｚ））と一致している。
【００４６】
そして、アナログ選局指示手段３６からの選局指示信号を受けたアナログ選局部３１は、アナログ入力端子ｔ３から伝送される電波の中から、その選局指示信号が示すアナログチャンネル周波数の電波を取り出す選局動作を実行する。
このとき、アナログ選局部３１が選択するアナログチャンネル周波数は、上述のとおり、アナログ入力端子ｔ３から入力される変調部１４からのアナログ変調波と一致しているから、そのアナログ変調波は、浴室テレビ３のアナログ選局部３１で選択されてアナログ復調部３２に伝送され、さらに、アナログ復調部３２で音声信号や映像信号へ復調されて、音声出力部３３および映像出力部３４から音声や映像として出力される。
【００４７】
即ち、浴室テレビ３の操作パネル３８の選局キーＫ１もしくはリモコン４の選局キーＫ３で視聴したい放送局の選局番号を選択すれば、その放送局のデジタル放送波が地上デジタルチューナ１によって、浴室テレビ３のアナログ選局部３１で選択されたアナログチャンネル周波数と同一周波数のアナログ変調波へ変調され、浴室テレビ３のアナログ選局部３１へ入力される。これにより、浴室テレビ３の音声出力部３３および映像出力部３４には、デジタル放送の音声や映像が出力される。
【００４８】
また、視聴したい放送局を切り替える場合も、浴室テレビ３の操作パネル３８の選局キーＫ１もしくはリモコン４の選局キーＫ３で視聴したい放送局の選局番号を選択すれば、浴室テレビ３のアナログ選局部３１で選択するアナログチャンネル周波数とそのアナログ選局部３１へ入力されるアナログ変調波とが同時に切り替えられるから、浴室テレビ３の音声出力部３３および映像出力部３４には、視聴したいデジタル放送の音声や映像が出力される。
【００４９】
次に、アナログ放送を視聴する場合は、浴室テレビ３の操作パネル３８の外部入力キーＫ２もしくはリモコン４の外部入力キーＫ４を押して、切替部１５をアナログ転送ルートへ切り替える。
【００５０】
そして、浴室テレビ３の操作パネル３８の選局キーＫ１もしくはリモコン４の選局キーＫ３で視聴したい放送局（例えば、Ａ放送局）の選局番号（例えば、３番）を選択すると、その選局番号を示す信号が操作パネル３８もしくは受光部３９から浴室テレビ３のアナログ選局指示手段３６へ出力される。
【００５１】
上記選局番号を示す信号を受けた浴室テレビ３のアナログ選局指示手段３６は、そのアナログ選局指示手段３６に記憶された複数のアナログチャンネル周波数の中から、上記選局番号（例えば、３番）を示す信号に対応するアナログチャンネル周波数（例えば、３ｃｈ（１０３ＭＨｚ））を抽出し、そのアナログチャンネル周波数を示す選局指示信号をアナログ選局部３１へ出力する。
【００５２】
アナログ選局指示手段３６からの選局指示信号を受けたアナログ選局部３１は、アンテナＰからアナログ入力端子ｔ３を介して伝送されるアナログ放送波の中から、その選局指示信号が示すアナログチャンネル周波数に対応したアナログ放送波を取り出す。そして、アナログ選局部３１で取り出されたアナログ放送波は、アナログ復調部３２で音声信号や映像信号へ復調され、音声出力部３３および映像出力部３４から音声や映像として出力される。
【００５３】
即ち、浴室テレビ３の操作パネル３８の外部入力キーＫ２もしくはリモコン４の外部入力キーＫ４を押すと、アンテナＰで受信したアナログ放送波をそのまま浴室テレビ３のアナログ選局部３１へ転送する。これにより、浴室テレビ３の音声出力部３３および映像出力部３４には、従来のようにアナログ放送の音声や映像が出力される。
【００５４】
従って、このものでは、上記地上デジタルチューナ１を設置する際には、その外装ケース１０に設けられたデジタル入力端子ｔ１へアンテナＰから延びる伝送線を接続し、アナログ出力端子ｔ２と浴室テレビ３のアナログ入力端子ｔ３とを伝送線で接続すれば、浴室テレビ３側の操作パネル３８やリモコン４で選択した選局番号に対応したデジタル放送を浴室テレビ３で視聴することが可能になる。即ち、既述従来の地上デジタルチューナのように、浴室テレビ３側へ新たな制御プログラムを組み込むといった作業が不要となる。従って、既設のアナログ放送専用の浴室テレビ３をそのまま利用してデジタル放送を視聴することができる。
【００５５】
また、視聴したい放送局を切り替える際も、浴室テレビ３の操作パネル３８の選局キーＫ１もしくはリモコン４の選局キーＫ３で視聴したい放送局の選局番号を選択することで、その選択したデジタル放送の音声や映像が出力されるから、使用者はアナログ放送を視聴していた時と同じ操作感覚でデジタル放送を視聴できる。
【００５６】
さらに、上記地上デジタルチューナ１の受光部１９は、赤外線出力部５を介して浴室テレビ３に設けられた信号出力端子ｔ４と無線接続されており、地上デジタルチューナ１のデジタル選局部１１における選局動作および変調部１４における変換動作は、浴室テレビ３の信号出力端子ｔ４から出力される選局番号を示す信号に応じて実行されるから、例えば、上記操作パネル３８とは別の操作パネルや、上記受光部３９とは別の赤外線受信部のような独立した信号出力手段を、浴室Ｒ１の壁面へ増設し、その信号出力手段から出力される選局番号を示す信号に応じて上記選局動作や変換動作を実行するようにしたものに比べて、地上デジタルチューナを導入する際の設置作業が容易である。
【００５７】
また、切替部１５によって、アンテナＰで受信したアナログ放送波を上記アナログ転送ルートを介して浴室テレビ３側へ導くことができるから、デジタル放送波がまだ受信できない環境下であっても、あらかじめ設置しておくことが可能である。アナログ放送波とデジタル放送波とが混送されている環境下にあっては、使用者の趣向に合わせてアナログ放送とデジタル放送とを視聴することができる。
【００５８】
デジタル放送波がまだ受信できない環境下へ地上デジタルチューナを設置する場合は、アンテナで受信したアナログ放送波をテレビ側へ伝送させる必要があるが、上記地上デジタルチューナ１を設置する際には、その外装ケース１０に設けられたデジタル入力端子ｔ１へアンテナＰから延びる伝送線を接続し、アナログ出力端子ｔ２と浴室テレビ３のアナログ入力端子ｔ３とを伝送線で接続するだけで、アナログ放送波を浴室テレビ３側へ伝送可能になる。
【００５９】
従って、アンテナＰから浴室テレビ３側へ延びる伝送線に分波器を設けて、地上デジタルチューナ１側へ伝送線を分配させたり、アンテナＰから浴室テレビ３側へ延びる伝送線に混合器を設けて、地上デジタルチューナ１側から延びる伝送線を混合させたりといった煩雑な配線作業を必要としないから、作業効率が良い。
【００６０】
また、上記切替部１５は、浴室テレビ３の操作パネル３８の外部入力キーＫ２もしくはリモコン４の外部入力キーＫ４によって、使用者が浴室テレビ３側から手元で容易に切り替えることができるから、地上デジタルチューナ１の本体に手動の切替スイッチを設け、その切替スイッチで切替部１５の切替動作を切り替えるようにしたものに比べて、利便性が良い。
【００６１】
［その他］
上記実施の形態では、アナログ放送とデジタル放送とを任意に切り替え可能にすべく、分波部Ｓ１、切替部１５および切替指示手段１８を備えたものを説明したが、上記実施の形態で示した分波部Ｓ１に代えて、アンテナＰで受信した電波をそのままデジタル選局部１１と切替部１５とへ伝送する分配器を設けたものであっても良いし、アナログ放送とデジタル放送との切替機能を持たない、デジタル放送専用の地上デジタルチューナを提供する場合は、図４に示した地上デジタルチューナ１Ａのように、上記実施の形態で示した分波部Ｓ１、切替部１５および切替指示手段１８を有さず、デジタル入力端子ｔ１へ入力された電波はデジタル選局部１１へ、変調部１４から出力されるアナログ変調波はアナログ出力端子ｔ２へそれぞれ直接的に伝送される回路構成のものであっても良い。
【００６２】
また、上記実施の形態では、浴室テレビ３の操作パネル３８もしくは受光部３９からデジタル選局指示手段１６や変調指示手段１７、切替指示手段１８等の制御手段へ入力される選局番号を示す信号は、赤外線出力部５を介して受光部１９で無線通信するものを説明したが、図５に示した地上デジタルチューナ１Ｂのように、浴室テレビ３の信号出力端子ｔ４と有線接続可能な信号出力端子ｔ４を備え、その信号出力端子ｔ５によって有線通信するものであっても良いし、図６に示した地上デジタルチューナ１Ｃのように、地上デジタルチューナ１Ｃの受光部１９を浴室Ｒ１の壁面に設け、リモコン４から出力される赤外線信号をその受光部１９と浴室テレビ３の受光部３９とで同時に受信するものであっても良い。この場合、受光部１９から上記各制御手段へ送信される信号は、有線通信であっても無線通信であっても良い。
【００６３】
上記実施の形態における地上デジタルチューナ１は、浴室テレビ用の地上デジタルチューナとして説明したが、キッチンのキャビネット内や裏面に設置して使用されるキッチンテレビ用の地上デジタルチューナであっても良いし、その他テレビとは離れた別の場所に設置して使用されるテレビ用の地上デジタルチューナであっても良い。
【００６４】
また、上記実施の形態における地上デジタルチューナ１は、テレビの設置場所とは離れた別の場所に設置するものとして説明したが、既設のテレビとその取付部との間に取り付けて使用するものであっても良い。例えば、図７（ａ）および（ｂ）に示す地上デジタルチューナ１Ｄのように、外装ケース１０Ｄの表面には、既設のテレビ３を上記取付部Ｗに設けられたビス穴Ｈ１と同様のビス穴Ｈ２が形成されており、このビス穴Ｈ２を利用して既設のテレビ３を外装ケース１０Ｄの表面に取り付けることができる。また、上記地上デジタルチューナ１Ｄには、電気出力部（図示しない）が設けられており、既設のテレビ３の動作電力はその電気出力部から供給される。
【図面の簡単な説明】
【００６５】
【図１】本発明の実施の形態に係る地上デジタルチューナとして例示する地上デジタルチューナ１を説明する概略構成図
【図２】デジタル放送およびアナログ放送に対応するチャンネル周波数と放送局ごとに割り当てられた選局番号との対応関係を示す表
【図３】本発明の実施の形態に係る地上デジタルチューナとして例示する地上デジタルチューナ１の動作を示すブロック図
【図４】他の実施の形態として例示する地上デジタルチューナ１Ａを説明する概略構成図
【図５】他の実施の形態として例示する地上デジタルチューナ１Ｂを説明する概略構成図
【図６】他の実施の形態として例示する地上デジタルチューナ１Ｃを説明する概略構成図
【図７】他の実施の形態として例示する地上デジタルチューナ１Ｄの概略斜視図
【図８】従来の地上デジタルチューナ８を浴室テレビ３に適用した場合を説明する概略構成図
【符号の説明】
【００６６】
１・・・地上デジタルチューナ
１１・・・デジタル選局部
１２・・・デジタル復調部
１３・・・デコード部
１４・・・変調部
１６・・・デジタル選局指示手段
１７・・・変調指示手段
３・・・テレビ
【図１】
2007288244.tif 000003
【図２】
2007288244.tif 000004
【図３】
2007288244.tif 000005
【図４】
2007288244.tif 000006
【図５】
2007288244.tif 000007
【図６】
2007288244.tif 000008
【図７】
2007288244.tif 000009
【図８】
2007288244.tif 000010